(57)【特許請求の範囲】
【請求項１】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材は側板の一部を爪部として、押圧部を中心に突出させて形成し、当該爪部に前記縁部材における係合部を係止したことを特徴とする簡易組立式収納箱。
【請求項２】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材は側板の一部を爪部として、押圧部を中心に突出させて形成し、当該爪部に前記縁部材における係合部を係止したことを特徴とする簡易組立式収納箱。
【請求項３】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
角部材における前記保持片の上端面で、当該略半分の幅を前記保持片の外側部に位置する両端部より突出させて肩部を形成し、
前記肩部と前記突状部の間隙に、前記縁部材における保持片及び外側片を嵌挿したことを特徴とする簡易組立式収納箱。
【請求項４】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
角部材における前記保持片の上端面で、当該略半分の幅を前記保持片の外側部に位置する両端部より突出させて肩部を形成し、
前記肩部と前記突状部の間隙に、前記縁部材における保持片及び外側片を嵌挿したことを特徴とする簡易組立式収納箱。
【請求項５】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材を前記筐体における複数の側板に設置した取手部の突起部とし、当該突起部に前記縁部材における前記係合部を係止したことを特徴とする簡易組立式収納箱。
【請求項６】
一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材からなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材を前記筐体における複数の側板に設置した取手部の突起部とし、当該突起部に前記縁部材における前記係合部を係止したことを特徴とする簡易組立式収納箱。
【請求項７】
請求項１及び２のいずれかに記載の簡易組立式収納箱において、少なくとも前記筐体における側板の鉛直方向と同一方向にリブを有する前記側板に前記爪部を設けたことを特徴とする簡易組立式収納箱。
【請求項８】
請求項１、２、５、６及び７のいずれかに記載の簡易組立式収納箱において、角部材における前記保持片の上端面において、当該略半分の幅を前記保持片の外側部に位置する両端部より突出させて肩部を形成し、
前記肩部と前記突状部の間隙に、前記縁部材における保持片及び外側片を嵌挿したことを特徴とする簡易組立式収納箱。
【発明の詳細な説明】
【技術分野】
【０００１】
本発明は、耐久性、耐荷重性を具備し、且つ簡易に組み立てられる簡易組立式収納箱であって、特に複数のプラスチック平板から構成されるプラスチック段ボールの簡易組立式収納箱に関するものである。
【背景技術】
【０００２】
従来から、紙製の段ボールと比較して、耐水性、耐久性等を有するものとしてプラスチック段ボール箱が工業製品、日用品等の収納や運搬等に広く使用されている。
また、プラスチック段ボール箱は、軽量且つ堅牢であることが重要であるとともに、ねじ止め工程を有さず、簡易に組み立てられることも要求される。また一方では、運搬等の際に、収納箱を積み重ねた場合の安定性等も重要視される。
しかし、従来の収納箱は積み重ね時において、積み重ねた上の収納箱を角部材の４点で支持するものであり、耐久性、耐荷重性に適さないものであった。
【０００３】
このような問題点を解決するものであって、積み重ね時の荷重を分散させる収納箱として、上の収納箱の重量を下の収納箱の縁部材の広い面積で受け、耐久性、耐荷重性を向上させたものが公知である（例えば、特許文献１参照）。
しかし、当該特許文献１における収納箱では、角部材を筐体に取り付ける方法として、超音波溶着等の工程を経て固着されるものであり、簡易に組み立てられるといった趣旨から外れてしまうものである。
【０００４】
また、一方で、超音波溶着等の工程を経ずに、簡易に組み立てられるといった趣旨に沿うもので、一端が開放した箱形に組み立てられる筐体と、筐体の上縁に覆うようにして取り付けられる縁部材と、筐体の隅に取り付けられて隣接する側板を連結する角部と、縁部材と角部を筐体から外れるのを防止するために筐体及び角部に係合するストッパーとによって構成される収納箱も公知である（例えば、特許文献２参照）。
【特許文献１】特開平９−１６５０４０号公報
【特許文献２】特開平５−２９４３４３号公報
【発明の開示】
【発明が解決しようとする課題】
【０００５】
しかし、当該特許文献２における収納箱にあっては、筐体及び角部に係合するストッパーを差し込む工程が必須となり、超音波溶着等の工程を経ずに、簡易に組み立てられるものではあるが、当該差込作業が煩雑となる虞がある。
【０００６】
そこで、本発明はこのような問題点を解決するものであって、耐久性、耐荷重性を具備し、且つ簡易に組み立てられる簡易組立式収納箱であって、特に複数のプラスチック平板から構成されるプラスチック段ボールの簡易組立式収納箱を提供することを課題とする。
【課題を解決するための手段】
【０００７】
前記問題点を解決するために、本発明の請求項１に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材は側板の一部を爪部として、押圧部を中心に突出させて形成し、当該爪部に前記縁部材における係合部を係止したことを特徴とするものである。
【０００８】
また、本発明の請求項２に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材は側板の一部を爪部として、押圧部を中心に突出させて形成し、当該爪部に前記縁部材における係合部を係止したことを特徴とするものである。
【０００９】
また、本発明の請求項３に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
角部材における前記保持片の上端面で、当該略半分の幅を前記保持片の外側部に位置する両端部より突出させて肩部を形成し、
前記肩部と前記突状部の間隙に、前記縁部材における保持片及び外側片を嵌挿したことを特徴とするものである。
【００１０】
また、本発明の請求項４に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
角部材における前記保持片の上端面で、当該略半分の幅を前記保持片の外側部に位置する両端部より突出させて肩部を形成し、
前記肩部と前記突状部の間隙に、前記縁部材における保持片及び外側片を嵌挿したことを特徴とするものである。
【００１１】
また、本発明の請求項５に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材とからなり、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を互いに隣接する複数の側板における端部に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材を前記筐体における複数の側板に設置した取手部の突起部とし、当該突起部に前記縁部材における前記係合部を係止したことを特徴とするものである。
【００１２】
また、本発明の請求項６に記載の発明の簡易組立式収納箱は、一定方向にリブ又は一定方向に配列する略円柱形状のリブを有するよう一体に成形されたプラスチック段ボールから構成される底板、複数の側板を有する筐体と、
互いに隣接する複数の側板における上端縁の角部に固定され、当該上端縁の上面に重層する上端面及び当該上端面から上方に延設され、上方へ載置される収納箱を安定して保持する保持片を有する角部材と、
前記複数の側板の上端縁に着脱可能に取り付けられ、前記角部材における上端面及び保持片と略同一平面を形成する上端面及び保持片を有して、断面を略ｈ形状に成形し下方に位置する一端部に係合部を有する縁部材からなり、
互いに隣接する複数の側板における端部を補強部材における内側狭持片及び外側狭持片にて狭持して係合し、
角部材は、上端面と対向する下端面にＬ形凹部を有して略Ｌ字状に形成される基体と、
前記基体の両端部から突出し、下端面に凹部を有してなる突状部を具備してなり、
前記角部材における前記Ｌ形凹部を前記補強部材に嵌合し、
側板の端部に連設してなる第１スリットを一端部に有し、他端部に第２スリットを有する凸状片に前記角部材における前記凹部を嵌合して取り付け、
前記角部材における前記突状部に縁部材を覆設して取り付け、
前記筐体における複数の側板に設けた抜け防止部材に前記縁部材における係合部を係止した簡易組立式収納箱において、
抜け防止部材を前記筐体における複数の側板に設置した取手部の突起部とし、当該突起部に前記縁部材における前記係合部を係止したことを特徴とするものである。
【００１３】
また、本発明の請求項７に記載の発明の簡易組立式収納箱は、請求項１及び請求項２のいずれかに記載の簡易組立式収納箱において、少なくとも前記筐体における側板の鉛直方向と同一方向にリブを有する前記側板に前記爪部を設けたことを特徴とするものである。
【００１４】
また、本発明の請求項８に記載の発明の簡易組立式収納箱は、請求項１、２、５、６及び７のいずれかに記載の簡易組立式収納箱に記載の簡易組立式収納箱において、角部材における前記保持片の上端面において、当該略半分の幅を前記保持片の外側部に位置する両端部より突出させて肩部を形成し、
前記肩部と前記突状部の間隙に、前記縁部材における保持片及び外側片を嵌挿したことを特徴とするものである。
【発明の効果】
【００１５】
請求項１記載の簡易組立式収納箱に係る発明では、角部材における上端面及び保持片と略同一平面を形成する上端面及び保持片を有するので、上方に載置される別の簡易組立式収納箱の荷重を全周面で受けることができ、当該荷重を分散させることができるので、簡易組立式収納箱の耐久性を向上させることができる。また、上方に載置される別の簡易組立式収納箱がずれるのを防止することができ、更に、上方に別の簡易組立式収納箱を載置した際においては、複数の側板の外側から埃等が入り込むこともない。
更に、側板の端部に連設してなる第１スリットを一端部に有し、他端部に第２スリットを有する凸状片に角部材における凹部を嵌合して取り付けたことから、当該側板が長手方向に微動するのを防止することもできる。これによって、隣接する側板における角部に隙間が生じるのを防止することができるので、当該箇所から埃等が入り込むこともない。
また、角部材における突状部に縁部材を覆設して取り付けたことから、縁部材よりも先に筐体へ取り付けられる角部材が上方へ抜けるのを防止することができる。
更に、縁部材は、筐体における抜け防止部材と係止して取り付けたことから、上方へ抜けるのを防止することができる。
また、溶着或いはビス止め等の工程を要しないことから、即座、且つ、容易に組立を行うことができ、組立機械も不要となる。これによって、各部品を分解することができるので、嵩を低くして保管することができるし、搬送又は輸送も効率よく行うことができる。
更に、縁部材においては、複数の側板によって長手方向の寸法のみが異なるが、角部材においては、４箇所の角部に共通の部材を使用することができるため、部材の左右方向が混同して組立工程が煩雑になるということもない。
また、一定方向に配列する略円柱形状のリブを有するプラスチック段ボールを筐体に使用することにより、加工時、若しくは箱形に組み立てる際に生じるリブの方向について留意する必要がなくなり、製造時における煩雑さを解消することができる。
そして、請求項１に係る発明は、抜け防止部材は側板の一部を爪部として、押圧部を中心に突出させて形成し、爪部に縁部材における係合部を係止したので、筐体における底板、側板及び爪部とを同時に打ち抜き加工することができ、生産効率を向上させることができる。また、側板の一部を爪部として突出させることから、別部材を有するといったこともなく経済的である。
【００１６】
請求項２記載の簡易組立式収納箱に係る発明では、請求項１に記載の簡易組立式収納箱の効果に加えて、当該角部において、互いに隣接する複数の側板における端部を補強部材における内側狭持片及び外側狭持片にて狭持して係合したので、４箇所の角部は耐荷重を向上させることができる。
また、角部材におけるＬ形凹部を補強部材に嵌合したことから、補強部材の抜け防止をすることができる。
そして、請求項２に係る発明は、抜け防止部材は側板の一部を爪部として、押圧部を中心に突出させて形成し、爪部に縁部材における係合部を係止したので、筐体における底板、側板及び爪部とを同時に打ち抜き加工することができ、生産効率を向上させることができる。また、側板の一部を爪部として突出させることから、別部材を有するといったこともなく経済的である。
【００１７】
請求項３及び請求項４記載の簡易組立式収納箱に係る発明では、角部材における保持片の上端面において、当該略半分の幅を保持片の外側部に位置する両端部より突出させて肩部を形成し、肩部と突状部の間隙に、縁部材における保持片及び外側片を嵌挿したので、肩部が縁部材における保持片と当接することから、縁部材が外側方向へ傾倒するのを防止することができる。
【００１８】
請求項５及び請求項６記載の簡易組立式収納箱に係る発明では、抜け防止部材を筐体における複数の側板に設置した取手部の突起部とし、当該突起部に縁部材における係合部を係止したので、取手部を有する簡易組立式収納箱にあっては、係合溝又は折返し部等を設ける必要がなく効果的である。
【００１９】
請求項７記載の簡易組立式収納箱に係る発明では、上記請求項１及び請求項２のいずれかに記載の発明について、少なくとも筐体における側板の鉛直方向と同一方向にリブを有する側板に爪部を設けたので、仮に、筐体の板厚が薄い場合であっても、爪部におけるリブが補強する効果を奏するので、爪部の強度が増し、縁部材を上方へ引き上げた際にも、爪部が屈曲して縁部材が抜けてしまうこともない。
また、一定方向に配列する略円柱形状のリブを有するプラスチック段ボールを筐体に使用することにより、リブの方向を考慮することなく、隣接する側板と同等の強度の爪部を形成することができるようになり効果的である。
【００２０】
請求項８記載の簡易組立式収納箱に係る発明では、上記請求項１から請求項７記載の発明のを組み合わせることにより、上記各請求項に記載した作用・効果を奏する簡易組立式収納箱を提供することができる。
【００２１】
尚、簡易組立式収納箱に係る本発明では、一体に成形される底板、複数の側板は、両端に一体に成形される２枚の側板を有する底板と、当該側板を有しない底板の両端に別途２枚の側板を溶着して一体とすることで、底板、４枚の側板を一体成形できないような大きさの簡易組立式収納箱を成形する際に効果的である。また、２枚の側板を後に底板に溶着することから、組み立てた状態において、隣接する側板と同様の鉛直方向にリブを配置させることもできるので、抜け防止部材である爪部を設ける構造において特に効果的である。その際には、４枚の側板におけるリブの配置される方向が一致するので、意匠性を向上させることもできる。
【発明を実施するための最良の形態】
【００２２】
以下、本発明の実施の形態における簡易組立式収納箱を図面に基づいて説明する。
【００２３】
図１は、本発明の実施例１に係る簡易組立式収納箱の斜視図である。図２は、本発明の実施例１に係る簡易組立式収納箱の筐体の展開平面図である。図３は、本発明の実施例１に係る簡易組立式収納箱の補強部材の拡大斜視図である。図４は、本発明の実施例１に係る簡易組立式収納箱の角部材の拡大斜視図である。図５は、本発明の実施例１に係る簡易組立式収納箱の角部材の拡大底面図である。図６は、本発明の実施例１に係る簡易組立式収納箱の縁部材の拡大斜視図である。図７は、本発明の実施例１に係る簡易組立式収納箱の筐体に補強部材を取り付けた状態の一部省略斜視図である。図８は、本発明の実施例１に係る簡易組立式収納箱の筐体に角部材を取り付ける前の一部省略斜視図である。図９は、本発明の実施例１に係る簡易組立式収納箱の筐体に縁部材を取り付ける前の一部省略斜視図である。図１０は、本発明の実施例１に係る簡易組立式収納箱の角部における一部省略斜視図である。図１１は、本発明の実施例１に係る簡易組立式収納箱の筐体に縁部材を取り付けた状態における短側板の一部省略拡大断面図である。図１２は、本発明の実施例１に係る別仕様の簡易組立式収納箱の筐体の展開平面図である。図１３は、本発明の実施例１に係る別仕様の簡易組立式収納箱の筐体の重合片を隣接する側板に重合させたときの一部省略斜視図である。図１４は、本発明の実施例２に係る簡易組立式収納箱の筐体の展開平面図である。図１５は、本発明の実施例２に係る簡易組立式収納箱の筐体に縁部材を取り付ける前の一部省略斜視図である。図１６は、本発明の実施例２に係る簡易組立式収納箱の筐体に縁部材を取り付けた状態の一部省略拡大断面図である。図１７は、本発明の実施例３に係る簡易組立式収納箱の筐体の展開平面図である。図１８は、本発明の実施例３に係る簡易組立式収納箱の筐体に縁部材を取り付ける前の一部省略斜視図である。図１９は、本発明の実施例３に係る簡易組立式収納箱の筐体に縁部材を取り付けた状態の一部省略拡大断面図である。図２０は、本発明の実施例３に係る別仕様の簡易組立式収納箱の筐体の展開平面図である。図２１は、本発明の実施例３に係る別仕様の簡易組立式収納箱の筐体に縁部材を取り付ける前の一部省略斜視図である。図２２は、本発明の実施例３に係る別仕様の簡易組立式収納箱の筐体に縁部材を取り付けた状態の一部省略拡大断面図である。図２３は、本発明の実施例４に係る簡易組立式収納箱の筐体の展開平面図である。図２４は、本発明の実施例４に係る簡易組立式収納箱の筐体に縁部材を取り付ける前の一部省略斜視図である。図２５は、本発明の実施例４に係る簡易組立式収納箱の筐体に縁部材を取り付けた状態の一部省略拡大断面図である。図２６は、本発明の実施例５に係る簡易組立式収納箱の筐体の展開平面図である。図２７は、本発明の実施例５に係る簡易組立式収納箱の筐体に縁部材を取り付ける前の一部省略斜視図である。図２８は、本発明の実施例５に係る簡易組立式収納箱の筐体に縁部材を取り付けた状態の一部省略拡大断面図である。図２９は、本発明の実施例６に係る簡易組立式収納箱の筐体の展開平面図である。図３０は、本発明の実施例６に係る簡易組立式収納箱の補強部材の拡大斜視図である。図３１は、本発明の実施例６に係る簡易組立式収納箱の筐体に補強部材を取り付けた状態の一部省略斜視図である。図３２は、本発明の実施例７に係る簡易組立式収納箱の短側板を底板に溶着前の筐体の展開平面図である。図３３は、本発明の実施例７に係る簡易組立式収納箱の短側板を（ａ）底板に溶着前のＣ−Ｃ断面簡略図、（ｂ）底板に溶着後のＣ−Ｃ断面簡略図である。図３４は、本発明の実施例７に係る簡易組立式収納箱の短側板を底板に溶着後の断面簡略図である。図３５は、本発明に使用されるプラスチック段ボール片の拡大斜視図である。図３６は、本発明に使用される別仕様のプラスチック段ボール片の（ａ）平面図、（ｂ）Ｄ−Ｄ断面図である。図３７は、本発明の使用される別仕様のプラスチック段ボール片の拡大斜視図である。
【実施例１】
【００２４】
本発明の簡易組立式収納箱の実施例１について、図１乃至図１３及び図３５に基づいて説明する。
【００２５】
本願発明の実施の形態に係る簡易組立式収納箱１は、図１に示すように、上方が開放した箱形に組み立てられる筐体２、前記筐体２の角部に取り付けられて当該角部を補強する補強部材３、前記補強部材３の上端に取り付けられる角部材４、及び４箇所の前記角部材４の間における前記筐体２の上縁に取り付けられる縁部材５とから構成されるものである。
【００２６】
前記筐体２は、図３５に示すように、ポリプロピレン樹脂を原材料とし、一体に成形されたプラスチック段ボール片Ｒからなる。前記プラスチック段ボール片Ｒは、内側面Ｒ１及び外側面Ｒ２の並行する平板を有し、当該平板の間隙にはリブＲ４が所定の間隔に設けられている。また、当該リブＲ４同士の間隙は貫通孔Ｒ３を構成する。ここで、リブＲ４は、前記内側面Ｒ１及び前記外側面Ｒ２の間隙において、前記貫通孔Ｒ３によって構成される中空押出構造体のことをいう。また、前記内側面Ｒ１及び前記外側面Ｒ２と直交するように複数の前記リブＲ４が配列される端面Ｒ５では、ハーモニカの吹き口のような形態となり、前記リブＲ４に沿う側の端面Ｒ６では、当該平板の間隙に壁面となるような形態となる。
本願発明において、前記筐体２は、図２に示すように、押し出し成形で一定方向にリブＲ４を有するよう、底板２ａにおける折り目Ｐを介して複数の側板である短側板２ｂ及び長側板２ｃを有するようにプレス加工されてなる。
前記折り目Ｐを谷折りにして箱形に組み立てられる前記筐体２の上方に位置する前記短側板２ｂ及び前記長側板２ｃの一端辺には、長手方向の一端から端部２ｄを有した後、第１スリット２ｅ及び第２スリット２ｆが設けられ、前記第１スリット２ｅと前記第２スリット２ｆの間は凸状片２ｇを形成し、２箇所の第２スリット２ｆの間は中央片２ｈを形成する。また、前記凸状片２ｇは、後に取り付けられる角部材４の肉厚寸法を調節するために、当該一端辺より下方位置へ段差を有するように設けられている。
【００２７】
また、図９に示すように、箱形に組み立てられる前記筐体２の内側面における前記短側板２ｂ及び前記長側板２ｃには、プレス時にて略台形状の爪部２ｉが設けられている。前記爪部２ｉは、前記底板２ａ側に位置する略台形状の下底を上底である押圧部２ｊより短くしてなり、斜辺及び下底に切り込みが入れられると同時に、前記押圧部２ｊを中心として、当該箇所を内側面方向へプラスチック段ボールの反発力を利用し、２〜３ｍｍ程度突出させるようにして押し出すことで形成される。
更に、前記爪部２ｉにおける下底位置は、前記第２スリット２ｆの深さと同程度に位置し、後述する縁部材５における係合部５ｄが取り付けられる位置に対応するものである。また、前記爪部２ｉは、前記中央片２ｈに相当する長さを有するようにして設けることもできるし、所定の長さに短くし並列して複数個所に設けることもできる。
【００２８】
前記筐体２は、所定の板厚（例えば、板厚９ｍｍ程度）を有しており、図２に示すように、箱形に組み立てられる際に、鉛直方向と直交するようにして前記リブＲ４を有する前記短側板２ｂに前記爪部２ｉを有する。この場合において、前記リブＲ４に沿って前記爪部２ｉを有することになるが、所定の板厚を有しているので、後述する縁部材５を取り付けた後、上方へ引き上げた際にも、前記押圧部２ｊから屈曲することもないものである。
一方、前記長側板２ｃにおいては、箱形に組み立てられる際に、鉛直方向と同一方向に前記リブＲ４を有する。この場合において、前記爪部２ｉにおける前記リブＲ４が前記押圧部２ｊからの屈曲に対して補強する効果を奏するので、結果として強度が増し、同様にして縁部材５を上方へ引き上げた際にも、前記押圧部２ｊから屈曲することもない。
このように、箱形に組み立てられる際に、鉛直方向と同一方向に前記リブＲ４を有する方が、当該爪部２ｉの屈曲に対する強度は大きくなるが、所定の板厚（例えば、板厚９ｍｍ程度）を有する場合には、前記リブＲ４の方向を考慮する必要はない。なお、前記リブＲ４の方向は、箱形に組み立てられる際に、前記短側板２ｂにおける鉛直方向と同一方向に有する場合であっても同様である。
【００２９】
前記補強部材３は、図３に示すように、前記筐体２と同様のポリプロピレン樹脂からなり、略Ｖ字状に形成される内側狭持片３ａ及び外側狭持片３ｃ、両者を連結する支持片３ｂとから構成される。
具体的には、前記内側狭持片３ａ及び外側狭持片３ｃは、間隙３ｄを有するようにして、前記内側狭持片３ａ及び外側狭持片３ｃにおける略Ｖ字の屈曲箇所にて、支持片３ｂによって連結されている。また、前記間隙３ｄは、前記筐体２における前記短側板２ｂ及び前記長側板２ｃの肉厚寸法を有してはめ合いが可能な寸法であればよい。
【００３０】
前記角部材４は、図４に示すように、同様にポリプロピレン樹脂からなり、略Ｌ字状の基体４ａ及び前記基体４ａの両端部から突出してなる略直方体状の突状部４ｆからなる。
前記基体４ａは、平面形状が略Ｌ字形の上端面４ｂと、前記上端面４ｂの外側一端部から上方へ延設してなる保持片４ｃを有してなる。
また、保持片４ｃにおける上端面の幅の略半分が、前記保持片４ｃの両端部より突出して肩部４ｅを形成する。前記肩部４ｅは、前記保持片４ｃの外側部に位置して、後に取り付けられる縁部材５と当接してガイドするように設けられている。
【００３１】
また、図５に示すように、前記上端面４ｂと対向する下端面にはＬ形凹部４ｄが形成され、前記突状部４ｆの下端面には凹部４ｇが形成されている。このとき、前記Ｌ形凹部４ｄの深さは、前記筐体２における前記隅部２ｄを嵌合することができる程度であればよく、前記突状部４ｆにおいては、前記筐体２における前記凸状部２ｇを嵌合することができる程度であればよい。更に、前記Ｌ形凹部４ｄの外形を前記補強部材３の外形と同一形状とし、前記凹部４ｇの外形を前記筐体２における前記凸状片２ｇの外形と同一形状とすることで、はめ合いを確実にして嵌合させることができる。
【００３２】
前記縁部材５は、図６に示すように、同様にポリプロピレン樹脂からなり、外側片５ａ、内側片５ｂ及び両者を連結する上端面５ｃからなり、略ｈ形状の断面形状を有するように形成される。
また、前記外側片５ａの上端部は、前記角部材４と同様にして、保持片５ｆを形成しており、前記外側片５ａと前記内側片５ｂの間隙は、前記角部材４における前記突状部４ｆの外形と同一形状である差込凹部５ｅを形成する。更に、前記内側片５ｂの端部は、前記差込凹部５ｅ側へ折曲されて係合部５ｄを形成する。
【００３３】
これらの構成部品からなる前記簡易組立式収納箱１は、図７乃至図１３に示すようにして組み立てられる。前記簡易組立式収納箱１における４箇所の角部の形状は同一である為、１箇所の角部について説明するものとする。
【００３４】
まず、図２に示す前記筐体２における前記短側板２ｂ及び前記長側板２ｃの前記折り目Ｐを介して前記底板２ａが底部となるよう、図７に示すように谷折りに折曲させた後、前記短側板２ｂ及び前記長側板２ｃの端部２ｄの上方から、前記補強部材３を係合させる。
具体的には、前記補強部材３における支持片３ｂにて分割される前記間隙３ｄの一方を前記短側板２ｂにおける前記端部２ｄへ係合し、他方を前記長側板２ｃにおける前記端部２ｄへ係合させればよい。このとき、前記補強部材３の上端面は、前記短側板２ｂ及び前記長側板２ｃの上端面と同一平面にあることが望ましい。一方、前記補強部材３の下端面は、前記簡易組立式収納箱１の内側面においては、前記短側板２ｂ及び前記長側板２ｃにおける前記底板２ａとの境界面まで延設してなり、前記簡易組立式収納箱１の外側面においては、図１に示すように、当該収納箱の底部に亘るまで延設してなる。
また、前記第１スリット２ｅ及び前記第２スリット２ｆに前記角部材４を嵌合させることから、前記内側狭持片３ａ及び前記外側狭持片３ｃの両端部は、前記端部２ｄの平面上に位置することが要件となる。
これによって、前記短側板２ｂ及び前記長側板２ｃと前記補強部材３のはめ合いにより、相互はしっかりと固定され、角部を補強することができる。
【００３５】
次に、図８に示すように、前記補強部材３が係合された前記筐体２の上方へ前記角部材４を配置する。
そして、前記角部材４における前記Ｌ形凹部４ｄを前記端部２ｄ及び前記補強部材３へ、また、前記角部材４における前記凹部４ｇを前記第１スリット２ｅと前記第２スリット２ｆの間の凸状片２ｇへ嵌合させる。
これによって、前記補強部材３と前記Ｌ形凹部４ｄのはめ合いにより、相互はしっかりと固定される。また、前記凸状片２ｇと前記凹部４ｇのはめ合いにより、相互はしっかりと固定される。よって、溶着或いはビス止め等の工程を要することなく、前記角部材４を前記筐体２の角部に取り付けることができる。
【００３６】
更に、図９に示すように、前記角部材４が嵌合された前記筐体２の上方へ前記縁部材５を配置する。
そして、前記中央片２ｈ及び前記突状部４ｆを覆うようにして、前記縁部材５における前記差込凹部５ｅを係合させる。また、前記肩部４ｅと前記突状部４ｆの間隙に、前記縁部材４における前記保持片５ｆ及び前記外側片５ａを嵌挿する。
このとき、図１１に示すように、前記縁部材５における前記係合部５ｄを抜け防止部材である前記爪部２ｉに係止させることによって、上方への抜けを防止することができる。
更に、図１０に示すように、前記突状部４ｆを覆うようにして係合させることで、前記角部材４の上方への抜けを防止することができる。
このようにして、前記簡易組立式収納箱１の角部は構成されて組み立てられる。
【００３７】
以上、説明した本発明の実施例１に係る簡易組立式収納箱１によれば、４箇所の角部には、前記補強部材３が係合されているので、耐荷重を向上させることができる。
また、前記角部材４における前記Ｌ形凹部４ｄを前記補強部材３に嵌合したことから、前記補強部材３の抜け防止をすることができる。更に、短側板２ｂ又は長側板２ｃの端部２ｄに連設してなる前記第１スリット２ｅを一端部に有し、他端部に前記第２スリット２ｆを有する前記凸状片２ｇに前記角部材４における前記凹部４ｇを嵌合して取り付けたことから、当該側板２ｂ又は２ｃが長手方向に微動するのを防止することもできる。
更に、前記補強部材３の上方に設置される前記角部材４には、前記縁部材５における前記差込凹部５ｅと同一形状の前記突状部４ｆを設けることで、前記縁部材５との係合を容易、且つ、良好にするとともに、前記係合部５ｄを抜け防止部材である前記爪部２ｉに係止させるので、前記縁部材５よりも先に前記筐体２へ取り付けられる前記角部材４が上方へ抜けるのを防止することができる。
また、前記保持片４ｃの両端部より突出した前記肩部４ｅが、前記縁部材５における前記保持片５ｆと当接して嵌合することから、前記縁部材５が外側方向へ傾倒するのを防止することができる。
また、前記縁部材５には、前記角部材４における前記上端面４ｂと同一平面の前記上端面５ｃを設けたことから、上方に載置される別の簡易組立式収納箱の荷重を全周面で受けることができる。よって、当該荷重を分散させることができるので、前記簡易組立式収納箱１の耐久性を向上させることができる。
更に、前記上端面４ｂ及び前記上端面５ｃと直交した同一平面を形成する前記保持片４ｃ及び前記保持片５ｆを設けたことから、上方に載置される別の簡易組立式収納箱がずれるのを防止することができる。
また、前記保持片４ｃ及び前記保持片５ｆにおける上端面同士も同一平面としたことから、上方に別の簡易組立式収納箱を載置した際において、前記短側板２ｂ又は前記長側板２ｃの外側から埃等が入り込むこともない。
また、本願発明の簡易組立式収納箱１においては、溶着或いはビス止め等の工程を要しないことから、即座、且つ、容易に組立を行うことができる。これによって、組立機械も不要となる。
更に、前記縁部材５においては、前記短側板２ｂ又は前記長側板２ｃによって長手方向の寸法のみが異なるが、前記補強部材３及び前記角部材４においては、４箇所の角部に共通の部材を使用することができるため、部材の左右方向が混同して組立工程が煩雑になるということもない。
【００３８】
また、前記実施例１において、前記筐体２における嵩が低く角部の補強を要しない場合には、前記補強部材３を用いない仕様とすることもできる。
【００３９】
更に、前記実施例１に示す筐体２よりも板厚を薄くするような際（例えば、板厚５ｍｍ程度）には、図１２に示すように、筐体２Ａにおいて、箱形に組み立てられる際に、鉛直方向と同一方向に前記リブＲ４を有する前記長側板２ｃの両端部を延設して重合片２ｋを設けるようにして角部の強度を確保することもできる。前記重合片２ｋは、前記実施例１における前記短側板２ｂ及び前記長側板２ｃと同様に、端部２ｄ、第１スリット２ｅ、第２スリット２ｆ、凸状片２ｇ及び爪部２ｉを有してなり、前記実施例１における前記短側板２ｂ及び前記長側板２ｃにおける当該箇所と同一形状を有するものである。当該重合片２ｋは、前記短側板２ｂにおける長手方向の略半分を重合することが望ましいが、少なくとも端部２ｄ、第１スリット２ｅ、第２スリット２ｆ、凸状片２ｇ及び爪部２ｉを有してあればよい趣旨である。
【００４０】
ここで、前記実施例１においては、所定の板厚（例えば、板厚９ｍｍ程度）を有しており、図２に示すように、箱形に組み立てられる際に、鉛直方向と直交するようにして前記リブＲ４を有する前記短側板２ｂに前記爪部２ｉを設けた場合には、前記リブＲ４に沿って前記爪部２ｉを有することになるが、所定の板厚を有しているので、縁部材５を上方へ引き上げた際にも、前記押圧部２ｊから屈曲することもないものであった。よって、当該爪部２ｉの強度を損なうことがないので、前記縁部材５における前記係合部５ｄの上方への抜けを防止することができるものであった。
【００４１】
しかし、前記実施例１に示す筐体２よりも板厚を薄くするような筐体２Ａ（例えば、板厚５ｍｍ程度）において、箱形に組み立てられる際に、鉛直方向と直交するようにして前記リブＲ４を有する前記短側板２ｂに前記爪部２ｉを設けた場合には、同様にして前記リブＲ４に沿って前記爪部２ｉを有することになるが、プラスチック段ボールの強度が小さく、縁部材５を取り付けた後、上方へ引き上げた際には、前記爪部２ｉが前記押圧部２ｊから屈曲し、前記縁部材５が抜けてしまい、前記縁部材５における前記係合部５ｄの上方への抜けを防止することができないということもある。
【００４２】
そこで、板厚を薄くする際における前記実施例１の別仕様としては、図１２に示すように、筐体２Ａにおいて、箱形に組み立てられる際に、鉛直方向と同一方向に前記リブＲ４を有する前記長側板２ｃの両端部を延設した重合片２ｋに同様の爪部２ｉを設ける。
これによって、プラスチック段ボールの強度が小さい場合であっても、前記爪部２ｉにおける前記リブＲ４が前記押圧部２ｊからの屈曲に対して補強する効果を奏するので、結果として強度が増し、縁部材５を取り付けた後、上方へ引き上げた際にも、前記押圧部２ｊから屈曲することもない。よって、前記縁部材５における前記係合部５ｄの上方への抜けを防止することができるようになる。
【００４３】
当該板厚を薄くする際における前記実施例１の別仕様における前記筐体２Ａの折曲については、図１２及び図１３に示す。
具体的には、図１２に示す前記筐体２Ａにおける前記短側板２ｂ及び前記長側板２ｃの前記折り目Ｐを介して前記底板２ａが底部となるよう、図１３に示すように谷折りに折曲させた後、前記短側板２ｂの内側へ前記折り目Ｐを介して、前記重合片２ｋを谷折りに折曲させることで、前記爪部２ｉを内側面に位置させることができ、前記縁部材５における前記係合部５ｄを係止させることができる。
尚、前記補強部材３を設けない組立においては、前記角部材４における前記Ｌ形凹部４ｄを前記短側板２ｂの前記端部２ｄ、前記長側板２ｃの前記端部２ｄ及び前記重合片２ｋの端部２ｄへ嵌合させる点で相違するが、その他については前記実施例１と同様のものである。
【実施例２】
【００４４】
本発明の簡易組立式収納箱の実施例２について、図１４乃至図１６に基づいて説明する。本実施例２における簡易組立式収納箱は、前記実施例１における構成と同様であるが、前記縁部材５の抜け防止部材のみが参考例として異なるものである。当該参考例となる抜け防止部材に関する箇所のみを以下に説明する。
【００４５】
図１４に示すように、箱形に組み立てられる筐体２Ｂの内側面における前記短側板２ｂ及び前記長側板２ｃには、長手方向に沿って係合溝２ｌが熱加工等によって、第１スリット２ｅの下方位置に設けられている。また、加工上の効率により、前記係合溝２ｌは、前記第１スリット２ｅを超えて前記端部２ｄまで延設することも可能である。当該係合溝２ｌの位置は、前記縁部材５における前記係合部５ｄが取り付けられる位置に対応するものである。
【００４６】
このように構成される実施例２における前記筐体２Ｂにおいては、図１５に示すように、前記実施例１と同様の方法によって、前記補強部材３及び前記角部材４が取り付けられる。前記縁部材５においても同様の方法で取り付けられるが、図１６に示すように、前記短側板２ｂの前記係合溝２ｌに前記縁部材５における前記係合部５ｄを係合させる点で、前記実施例１と相違するものである。
【実施例３】
【００４７】
本発明の簡易組立式収納箱の実施例２について、図１７乃至図１９に基づいて説明する。本実施例３における簡易組立式収納箱は、前記実施例１及び前記実施例２における構成と同様であるが、参考例となる別の抜け防止部材を有するものである。当該参考例となる抜け防止部材に関する箇所のみを以下に説明する。
【００４８】
図１７に示すように、箱形に組み立てられる筐体２Ｃにおける前記短側板２ｂ及び前記長側板２ｃは、前記中央片２ｈを上方へ延設し折返し部２ｍを有してなる。前記中央片２ｈと前記折返し部２ｍの境界には、プレス時にて折り目Ｑが設けられ、当該折返し部２ｍは、前記折り目Ｑを谷折りにして、簡易組立式収納箱の内側方向へ折曲して作用し、当該折返し部２ｍにおける端部辺２ｎは、前記縁部材５における前記係合部５ｄが取り付けられる位置に対応するものである。
【００４９】
このように構成される実施例３における前記筐体２Ｃにおいては、図１８に示すように、前記実施例１及び前記実施例２と同様の方法によって、前記補強部材３及び前記角部材４が取り付けられる。また、前記縁部材５においても同様の方法で取り付けられるが、図１９に示すように、前記折返し部２ｍにおける端部辺２ｎを前記縁部材５における前記係合部５ｄと係合させる点で、前記実施例１及び前記実施例２と相違するものである。
本実施例３における参考例となる抜け防止部材においては、前記折返し部２ｍを折曲させることから、折曲時における反発力が比較的小さい板厚の薄い簡易組立式収納箱を作成する際に効果的である。
【００５０】
また、図２０に示すように、前記筐体２Ｃと異なる筐体２Ｄにおいて、前記中央片２ｈと前記折返し部２ｍの境界に、当該中央片２ｈにおける長手方向の端部から一定の間隔を有して複数の切断部２ｏを設ける。
このように構成される前記筐体２Ｄは、図２１及び図２２に示すようにして、前記実施例１と同様に組み立てられる。また、前記折返し部２ｍにあっては、前記折り目Ｑを設けた場合と異なり、前記切断部２ｏが露呈することから、前記折返し部２ｍは簡易組立式収納箱の内側方向のみではなく、外側方向へも折曲することができるようになる。また、外側方向へ折曲させる場合には、前記縁部材５における係合部５ｄを前記外側片５ａ側の端部に設けることによって、同様に係止させることができる。
【実施例４】
【００５１】
本発明の簡易組立式収納箱の実施例４について、図２３乃至図２５に基づいて説明する。本実施例４における簡易組立式収納箱は、前記実施例１乃至前記実施例３における構成と同様であるが、更に別の抜け防止部材を有するものである。当該抜け防止部材に関する箇所のみを以下に説明する。
【００５２】
図２３に示すように、箱形に組み立てられる筐体２Ｅにおける前記短側板２ｂの略中央部の上方には、取手部６を設置する取付孔２ｐが設けられている。また、前記取付孔２ｐは、前記長側板２ｃにのみ設けることもできるし、前記短側板２ｂ及び前記長側板２ｃの両方に設けることもできる。
【００５３】
このように構成される実施例４における前記筐体２Ｅにおいては、図２４に示すように、前記実施例１乃至前記実施例３と同様の方法によって、前記補強部材３及び前記角部材４が取り付けられる。更に、複数の突起部６ａを有する前記取手部６が、前記突起部６ａを上方に位置するようにして、前記取付孔２ｐに設置される。当該突起部６ａは、前記縁部材５における前記係合部５ｄが取り付けられる位置に対応するものである。
また、前記縁部材５においても同様の方法で取り付けられるが、図２５に示すように、前記取手部６における突起部６ａが前記縁部材５における前記係合部５ｄと係合させる点で、前記実施例１乃至前記実施例３と相違するものである。
本実施例４における抜け防止部材においては、前記突起部６ａに係合させることから、前記実施例３に示すような前記折返し部２ｍを有する必要がなく、前記取手部６を有した最も一般的に使用される簡易組立式収納箱において効果的である。
また、前記取手部６においては、当該仕様に関わらず、防塵用の蓋を有した取手等を使用することもできる。
【実施例５】
【００５４】
本発明の簡易組立式収納箱の実施例５について、図２６乃至図２８に基づいて説明する。本実施例５における簡易組立式収納箱は、前記実施例１乃至前記実施例４における構成と同様であるが、図２６に示すように、筐体２Ｆには上述のような特別な抜け防止部材を有さず、図２７に示すように、前記実施例１乃至前記実施例４と同様の方法よって、前記補強部材３及び前記角部材４が取り付けられる。また、前記縁部材５においても同様の方法で取り付けられるが、図２８に示すように、前記縁部材５における前記内側片５ｂ及び前記係合部５ｄの弾性力によって、前記外側片５ａとの間で前記短側板２ｂは狭持されているので、上方への抜けを防止することができる。
【実施例６】
【００５５】
本発明の簡易組立式収納箱の実施例６について、図２９乃至図３１に基づいて説明する。本実施例６における簡易組立式収納箱は、前記実施例１乃至前記実施例５における構成と同様であるが、筐体２Ｇに前記短側板２ｂ及び長側板２ｃの端部２ｄに前記実施例１における爪部２ｉを有する点で相違する。当該爪部２ｉは、箱形に組み立てられる鉛直方向と同一方向に押圧部２ｊを有してなる。また、当該押圧部２ｊは、前記短側板２ｂ及び長側板２ｃにおける縁部側に位置し、鉛直方向の略中央部に設けられ、前記実施例１と同様にして加工される。
また、図３０に示すように、前記補強部材３と略同様の構成を有する補強部材３Ａには、内側狭持片３ａの端部に係合部３ｅが間隙３ｄ側に向かって設けられている。
【００５６】
このようにして構成される実施例６における筐体２Ｇにおいては、図３１に示すように、補強部材３Ａが取り付けられる。このとき、前記補強部材３Ａにおける係合部３ｅが前記短側板２ｂ及び長側板２ｃにおける爪部２ｉに係止される。これによって、前記実施例１乃至前記実施例５における前記短側板２ｂ及び長側板２ｃと前記補強部材３Ａのはめ合いのみによる固定よりも、相互は確実に固定されるので、前記短側板２ｂ及び長側板２ｃが長手方向に微動するのを防止することができる。
当該実施例６における構造は、前記実施例１乃至前記実施例５における前記筐体２、筐体２Ｂ、筐体２Ｃ、筐体２Ｄ、筐体２Ｅ及び筐体２Ｆの角部に前記補強部材３を設置する構造の全てに対応し得るものであることは勿論である。
【００５７】
また、前記実施例２乃至前記実施例５においては、前記筐体２Ｂ、筐体２Ｃ、筐体２Ｄ、筐体２Ｅ及び筐体２Ｆの角部に前記補強部材３を設置する構造であったが、前記実施例１における別仕様の簡易組立式収納箱のように、前記短側板２ｂ又は前記長側板２ｃの端部を折り返して、隣接する側板に重合させて角部を補強することで、前記補強部材３を用いない簡易組立式収納箱とすることもできる。
【００５８】
更に、前記実施例１乃至前記実施例５における抜け防止部材を、一つの簡易組立式収納箱に任意に組み合わせて実施できることは勿論である。
【実施例７】
【００５９】
本発明の簡易組立式収納箱の実施例７について、図３２乃至図３４に基づいて説明する。本実施例７における簡易組立式収納箱は、前記実施例１乃至前記実施例６における構成と同様であるが、底板２ａ、短側板２ｂ及び長側板２ｃが一体成形されていない点で相違する。本実施例７においては、底板２ａ及び長側板２ｃが一体成形され、後に短側板２ｂが底板２ａに対して溶着されることで、両者は一体とされる。
【００６０】
図３２に示すように、筐体２Ｉにおける底板２ａを実施例１乃至実施例６と同様の折り目Ｐから長手方向へ略同様の幅を有して所定の寸法を延設させて、図３３（ａ）及び（ｂ）に示すように、短側板２ｂ及び底板２ａにおける両者の端部を突き合わせて熱溶着させることができる。係る際には、底板２ａにおける延設寸法と略同一の寸法を、短側板２ｂの下端から切断させることは勿論である。
【００６１】
更に、筐体２Ｉにおける底板２ａと上述の延設寸法を切断しない短側板２ｂとを用いて、図３４（ａ）に示すように、組み立て時における簡易組立式収納箱の外側から短側板２ｂを当該延設箇所に重合させて熱溶着させることもできる。また、簡易組立式収納箱の内側から重合させて熱溶着させることもできる。
【００６２】
また、筐体２Ｉにおける上述の延設寸法を設けない底板２ａと下端から延設寸法を設けた短側板２ｂとを用いて、図３４（ｂ）に示すように、組み立て時における簡易組立式収納箱の外側から短側板２ｂの当該延設箇所を重合させて熱溶着させることもできる。また、簡易組立式収納箱の内側から重合させて熱溶着させることもできる。係る図３４に示すような延設箇所を重合させる溶着は、突き合わせ溶着と比較して板厚が薄いような際に有効である。
【００６３】
本実施例７における筐体２Ｈ及び筐体２Ｉにおいては、底板２ａ、短側板２ｂ及び長側板２ｃを一体成形できないような大きさの簡易組立式収納箱、例えば長さ８００ｍｍ、幅６００ｍｍ、高さ６００ｍｍを成形する際に効果的である。また、短側板２ｂを後に底板２ａに溶着することから、組み立てた状態において、長側板２ｃと同様に鉛直方向にリブＲ４を配置させることもできるので、爪部２ｉを設ける構造において特に効果的である。また、短側板２ｂ及び長側板２ｃにおけるリブＲ４の配置される方向が一致するので、意匠性を向上させることもできる。更に、短側板２ｂにおけるリブＲ４の配置方向を、長側板２ｃにおけるリブＲ４の配置される方向に対して垂直方向にできることは勿論である。
更に、前記実施例１乃至前記実施例６における構造を採用できることは勿論である。
【００６４】
更に、前記実施例１乃至前記実施例７においては、図３５に示すような一定方向にリブＲ４を有するプラスチック段ボール片Ｒを使用したが、図３６及び図３７に示すような一定方向に配列する略円柱形状のリブＳ４を有するプラスチック段ボールＳを使用することもできる。前記プラスチック段ボールＳは、内側面Ｓ１及び外側面Ｓ２の並行する平板を有し、当該平板の間隙には前記リブＳ４が所定の間隔に設けられている。また、当該リブＳ４同士の間隙は貫通孔Ｓ３を構成する。
また、前記リブＳ４は、図３６（ｂ）に示すように、前記内側面Ｓ１側に略円柱形状の上部を形成し、前記外側面Ｓ２側において隣接するリブＳ４とつながり、形成されている。前記外側面Ｓ２側に略円柱形状の上部を設けることができるのは、勿論である。
【００６５】
当該プラスチック段ボールＳを上述の実施例における筐体に使用することにより、プラスチック段ボール片Ｒを使用して箱形に組み立てる際に生じていたリブＲ４の方向について留意する必要がなくなり、製造時における煩雑さを解消することができる。
特に、前記実施例１に示すようなリブＳ４の方向を考慮することなく、隣接する側板と同等の強度の爪部２ｉを形成することができるようになり効果的である。
【図面の簡単な説明】
【００６６】
【図１】本発明の実施例１に係る簡易組立式収納箱の斜視図である。
【図２】本発明の実施例１に係る簡易組立式収納箱の筐体の展開平面図である。
【図３】本発明の実施例１に係る簡易組立式収納箱の補強部材の拡大斜視図である。
【図４】本発明の実施例１に係る簡易組立式収納箱の角部材の拡大斜視図である。
【図５】本発明の実施例１に係る簡易組立式収納箱の角部材の拡大底面図である。
【図６】本発明の実施例１に係る簡易組立式収納箱の縁部材の拡大斜視図である。
【図７】本発明の実施例１に係る簡易組立式収納箱の筐体に補強部材を取り付けた状態の一部省略斜視図である。
【図８】本発明の実施例１に係る簡易組立式収納箱の筐体に角部材を取り付ける前の一部省略斜視図である。
【図９】本発明の実施例１に係る簡易組立式収納箱の筐体に縁部材を取り付ける前の一部省略斜視図である。
【図１０】本発明の実施例１に係る簡易組立式収納箱の角部における一部省略斜視図である。
【図１１】本発明の実施例１に係る簡易組立式収納箱の筐体に縁部材を取り付けた状態における短側板の一部省略拡大断面図である。
【図１２】本発明の実施例１に係る別仕様の簡易組立式収納箱の筐体の展開平面図である。
【図１３】本発明の実施例１に係る別仕様の簡易組立式収納箱の筐体の重合片を隣接する側板に重合させたときの一部省略斜視図である。
【図１４】本発明の実施例２に係る簡易組立式収納箱の筐体の展開平面図である。
【図１５】本発明の実施例２に係る簡易組立式収納箱の筐体に縁部材を取り付ける前の一部省略斜視図である。
【図１６】本発明の実施例２に係る簡易組立式収納箱の筐体に縁部材を取り付けた状態の一部省略拡大断面図である。
【図１７】本発明の実施例３に係る簡易組立式収納箱の筐体の展開平面図である。
【図１８】本発明の実施例３に係る簡易組立式収納箱の筐体に縁部材を取り付ける前の一部省略斜視図である。
【図１９】本発明の実施例３に係る簡易組立式収納箱の筐体に縁部材を取り付けた状態の一部省略拡大断面図である。
【図２０】本発明の実施例３に係る別仕様の簡易組立式収納箱の筐体の展開平面図である。
【図２１】本発明の実施例３に係る別仕様の簡易組立式収納箱の筐体に縁部材を取り付ける前の一部省略斜視図である。
【図２２】本発明の実施例３に係る別仕様の簡易組立式収納箱の筐体に縁部材を取り付けた状態の一部省略拡大断面図である。
【図２３】本発明の実施例４に係る簡易組立式収納箱の筐体の展開平面図である。
【図２４】本発明の実施例４に係る簡易組立式収納箱の筐体に縁部材を取り付ける前の一部省略斜視図である。
【図２５】本発明の実施例４に係る簡易組立式収納箱の筐体に縁部材を取り付けた状態の一部省略拡大断面図である。
【図２６】本発明の実施例５に係る簡易組立式収納箱の筐体の展開平面図である。
【図２７】本発明の実施例５に係る簡易組立式収納箱の筐体に縁部材を取り付ける前の一部省略斜視図である。
【図２８】本発明の実施例５に係る簡易組立式収納箱の筐体に縁部材を取り付けた状態の一部省略拡大断面図である。
【図２９】本発明の実施例６に係る簡易組立式収納箱の筐体の展開平面図である。
【図３０】本発明の実施例６に係る簡易組立式収納箱の補強部材の拡大斜視図である。
【図３１】本発明の実施例６に係る簡易組立式収納箱の筐体に補強部材を取り付けた状態の一部省略斜視図である。
【図３２】本発明の実施例７に係る簡易組立式収納箱の短側板を底板に溶着前の筐体の展開平面図である。
【図３３】本発明の実施例７に係る簡易組立式収納箱の短側板を（ａ）底板に溶着前のＣ−Ｃ断面簡略図、（ｂ）底板に溶着後のＣ−Ｃ断面簡略図である。
【図３４】本発明の実施例７に係る簡易組立式収納箱の短側板を底板に溶着後の断面簡略図である。
【図３５】本発明に使用されるプラスチック段ボール片の拡大斜視図である。
【図３６】本発明に使用される別仕様のプラスチック段ボール片の（ａ）平面図、（ｂ）Ｄ−Ｄ断面図である。
【図３７】本発明の使用される別仕様のプラスチック段ボール片の拡大斜視図である。
【符号の説明】
【００６７】
１      簡易組立式収納箱
２、２Ａ、２Ｂ、２Ｃ、２Ｄ、２Ｅ、２Ｆ、２Ｇ、２Ｈ、２Ｉ  筐体
２ａ    底板
２ｂ    短側板
２ｃ    長側板
２ｄ    端部
２ｅ    第１スリット
２ｆ    第２スリット
２ｇ    凸状片
２ｈ    中央片
２ｉ    爪部
２ｊ    押圧部
２ｋ    重合片
２ｌ    係合溝
２ｍ    折返し部
２ｎ    端部辺
２ｏ    切断部
２ｐ    取付孔
３      補強部材
３ａ    内側狭持片
３ｂ    支持片
３ｃ    外側狭持片
３ｄ    間隙
３ｅ    係合部
４      角部材
４ａ    基体
４ｂ    上端面
４ｃ    保持片
４ｄ    Ｌ形凹部
４ｅ    肩部
４ｆ    突状部
４ｇ    凹部
５      縁部材
５ａ    外側片
５ｂ    内側片
５ｃ    上端面
５ｄ    係合部
５ｅ    差込凹部
５ｆ    保持片
６      取手部
６ａ    突起部
Ｐ、Ｑ  折り目
Ｒ、Ｓ  プラスチック段ボール片
Ｒ１、Ｓ１  内側面
Ｒ２、Ｓ２  外側面
Ｒ３、Ｓ４  貫通孔
Ｒ４、Ｓ４  リブ
Ｒ５、Ｒ６  端面
【図１】
0004841585.tif 000002
【図２】
0004841585.tif 000003
【図３】
0004841585.tif 000004
【図４】
0004841585.tif 000005
【図５】
0004841585.tif 000006
【図６】
0004841585.tif 000007
【図７】
0004841585.tif 000008
【図８】
0004841585.tif 000009
【図９】
0004841585.tif 000010
【図１０】
0004841585.tif 000011
【図１１】
0004841585.tif 000012
【図１２】
0004841585.tif 000013
【図１３】
0004841585.tif 000014
【図１４】
0004841585.tif 000015
【図１５】
0004841585.tif 000016
【図１６】
0004841585.tif 000017
【図１７】
0004841585.tif 000018
【図１８】
0004841585.tif 000019
【図１９】
0004841585.tif 000020
【図２０】
0004841585.tif 000021
【図２１】
0004841585.tif 000022
【図２２】
0004841585.tif 000023
【図２３】
0004841585.tif 000024
【図２４】
0004841585.tif 000025
【図２５】
0004841585.tif 000026
【図２６】
0004841585.tif 000027
【図２７】
0004841585.tif 000028
【図２８】
0004841585.tif 000029
【図２９】
0004841585.tif 000030
【図３０】
0004841585.tif 000031
【図３１】
0004841585.tif 000032
【図３２】
0004841585.tif 000033
【図３３】
0004841585.tif 000034
【図３４】
0004841585.tif 000035
【図３５】
0004841585.tif 000036
【図３６】
0004841585.tif 000037
【図３７】
0004841585.tif 000038